(57)【要約】 【課題】データ分析システムの記録装置に記録するデータの削減と、データを分析する装置の側の負荷の低減とを両立する。【解決手段】データ分析システムは、受信したデータについて、所定の重複排除処理を行って、非重複データを記録する重複排除手段を備えるストレージ装置と、外部からデータを取得し、前記ストレージ装置に送信するデータ取得装置と、前記ストレージ装置に蓄積されたデータを分析するデータ分析装置と、を含む。前記ストレージ装置は、前記非重複データを記録した場合、前記データ分析装置に対し、前記非重複データが記録されたことを通知し、前記データ分析装置は、前記通知に基づいて、前記ストレージ装置に記録されたデータを読み出して所定の分析処理を実施する。【選択図】図１
2018128967.tif 000002
【特許請求の範囲】
【請求項１】
受信したデータについて、所定の重複排除処理を行って、非重複データを記録する重複排除手段を備えるストレージ装置と、
外部からデータを取得し、前記ストレージ装置に送信するデータ取得装置と、
前記ストレージ装置に蓄積されたデータを分析するデータ分析装置と、を含み、
前記ストレージ装置は、前記非重複データを記録した場合、前記データ分析装置に対し、前記非重複データが記録されたことを通知し、
前記データ分析装置は、前記通知に基づいて、前記ストレージ装置に記録されたデータを読み出して所定の分析処理を実施すること、
を特徴とするデータ分析システム。
【請求項２】
前記重複排除手段は、受信したデータを複数のブロックに分割し、ブロック単位で重複データであるか否かを判定する請求項１のデータ分析システム。
【請求項３】
前記重複排除手段は、ブロック単位で判定した結果、受信データが重複データであると判定した場合であっても、受信したデータ全体のブロック構成に変化が生じている場合、前記データ分析装置に前記通知を送信する請求項２のデータ分析システム。
【請求項４】
前記データ取得装置は、センサーにて測定されたデータを時系列にまとめて送信するデータ収集サーバーである請求項１から３いずれか一のデータ分析システム。
【請求項５】
受信したデータをストレージ装置に送信するデータ取得装置と、
前記ストレージ装置に蓄積されたデータを分析するデータ分析装置と、に接続され、
受信したデータのうち、所定の重複排除処理を行って、非重複データを記録する重複排除手段と、
前記非重複データを記録した場合、前記データ分析装置に対し、前記非重複データが記録されたことを通知する通知手段と、
を備えた記録装置。
【請求項６】
受信したデータについて、所定の重複排除処理を行って、非重複データを記録する重複排除手段と、前記非重複データを記録した場合、データ分析装置に対し、前記非重複データが記録されたことを通知する通知手段と、を備えるストレージ装置と、
外部からデータを取得し、前記ストレージ装置に送信するデータ取得装置と、に接続され、
前記ストレージ装置から、前記非重複データが記録されたことの通知を契機として、前記ストレージ装置からデータを読み出して所定の分析を実施するデータ分析装置。
【請求項７】
外部からデータを取得し、ストレージ装置に送信するデータ取得装置と、
前記ストレージ装置に蓄積されたデータを分析するデータ分析装置と、に接続された記録装置が、
前記データ取得装置から受信したデータについて、所定の重複排除処理を行って、非重複データを記録するステップと、
前記非重複データを記録した場合、前記データ分析装置に対し、前記非重複データが記録されたことを通知するステップと、
を含むデータ管理方法。
【請求項８】
受信したデータについて、所定の重複排除処理を行って、非重複データを記録する重複排除手段と、前記非重複データを記録した場合、データ分析装置に対し、前記非重複データが記録されたことを通知する通知手段と、を備えるストレージ装置と、
外部からデータを取得し、前記ストレージ装置に送信するデータ取得装置と、に接続されたデータ分析装置が、
前記ストレージ装置から、前記非重複データが記録されたことの通知を受信するステップと、前記通知を契機として、前記ストレージ装置からデータを読み出して所定の分析を実施するステップと、を含むデータ分析方法。
【請求項９】
受信したデータをストレージ装置に送信するデータ取得装置と、前記ストレージ装置に蓄積されたデータを分析するデータ分析装置と、に接続された記録装置に搭載されたコンピュータに、
受信したデータのうち、所定の重複排除処理を行って、非重複データを記録する処理と、
前記非重複データを記録した場合、前記データ分析装置に対し、前記非重複データが記録されたことを通知する処理と、
を実行させるプログラム。
【請求項１０】
受信したデータのうち、所定の重複排除処理を行って、非重複データを記録する重複排除手段と、前記非重複データを記録した場合、データ分析装置に対し、前記非重複データが記録されたことを通知する通知手段と、を備えるストレージ装置と、外部からデータを取得し、前記ストレージ装置に送信するデータ取得装置と、に接続されたデータ分析装置に搭載されたコンピュータに、
前記ストレージ装置から、前記非重複データが記録されたことの通知を受信する処理と、
前記通知を契機として、前記ストレージ装置からデータを読み出して所定の分析を実施する処理と、
を実行させるプログラム。
【発明の詳細な説明】
【技術分野】
【０００１】
本発明は、データ分析システム、記録装置、データ分析装置、データ管理方法、データ分析方法及びプログラムに関し、特に、大量のデータの分析に用いるデータ分析システム、記録装置、データ分析装置、データ管理方法、データ分析方法及びプログラムに関する。
【背景技術】
【０００２】
特許文献１に、複数のサブ回路におけるエネルギー使用状況を示す１つまたは複数のパラメータを測定し、現在のエネルギー使用状況のモニタリングを可能にするレートで、測定パラメータのうちの少なくとも１つに関連する情報を自動的に送信するシステムの一例が開示されている。同文献によると、このシステムは、さらに、測定パラメータの有意な変化を検出し、測定パラメータの有意な変化がエネルギー使用状況の変化に起因するかどうかを決定し、有意な変化を検出する工程の後で、エネルギー使用状況の変化に起因する測定パラメータの有意な変化に関連する情報を自動的に送信する。
【０００３】
特許文献２には、撮像されたデジタル画像データについて、予め定めた比較ポイントについて色合いの変化があったときだけ、ＰＣカードに保存するデジタルカメラが開示されている。
【０００４】
特許文献３には、データを格納する段階で、既に格納されているデータとの重複を判定し、重複するデータについては記憶媒体にデータを格納せず、既に格納済みの重複データへのポインタ情報等を記録するようにした重複排除機能（デデュプリケーション（Ｄｅｄｕｐｌｉｃａｔｉｏｎ）ともいう）を備えたストレージ装置が開示されている。
【先行技術文献】
【特許文献】
【０００５】
【特許文献１】特表２０１４−５１２６２５号公報
【特許文献２】特開平１０−１４５６４８号公報
【特許文献３】特開２０１３−３８８３号公報
【発明の概要】
【発明が解決しようとする課題】
【０００６】
以下の分析は、本発明によって与えられたものである。特許文献１のように、さまざまなセンサから得られた大量のデータを分析して、システムの状態を提示したり、将来の状態を予測する技術の研究が盛んに行われている。上記センサ等から送られるデータには、定常的な値を持っていて、まれに変化が発生する性質のものが多い。そこで、特許文献１、２の方法では、連続して送られてきたデータ同士を比較し、有意な変化が生じているかどうかを判定する構成を採用している。
【０００７】
上記特許文献１、２の方法の問題点は、センサ等から送られるデータが増えれば増えるほど、負荷が増大してしまうという点である。特許文献３の開示の内容も、重複排除機能を備えたストレージの改良に止まっている。
【０００８】
本発明は、不要なデータを削減し、かつ、データを分析する装置の側の負荷を低減することのできるデータ分析システム、記録装置、データ分析装置、データ管理方法、データ分析方法及びプログラムを提供することを目的とする。
【課題を解決するための手段】
【０００９】
第１の視点によれば、受信したデータについて、所定の重複排除処理を行って、非重複データを記録する重複排除手段を備えるストレージ装置と、外部からデータを取得し、前記ストレージ装置に送信するデータ取得装置と、前記ストレージ装置に蓄積されたデータを分析するデータ分析装置と、を含むデータ分析システムが提供される。前記ストレージ装置は、前記非重複データを記録した場合、前記データ分析装置に対し、前記非重複データが記録されたことを通知する。前記データ分析装置は、前記通知に基づいて、前記ストレージ装置に記録されたデータを読み出して所定の分析処理を実施する。
【００１０】
第２の視点によれば、上記したデータ分析システムを構成する装置が提供される。
【００１１】
第３の視点によれば、上記したデータ分析システムを構成する装置を用いて実施可能なデータ管理方法及びデータ分析方法が提供される。このデータ管理方法は、所定の重複排除処理を行って、非重複データを記録する重複排除手段を備えるストレージ装置という、特定の機械に結びつけられている。また、データ分析方法は、前記ストレージ装置に蓄積されたデータを分析するデータ分析装置という、特定の機械に結びつけられている。
【００１２】
第４の視点によれば、上記したデータ分析システムを構成する装置に搭載されたコンピュータに実行させるプログラムが提供される。なお、このプログラムは、コンピュータが読み取り可能な（非トランジエントな）記憶媒体に記録することができる。即ち、本発明は、コンピュータプログラム製品として具現することも可能である。
【発明の効果】
【００１３】
本発明によれば、記録装置に記録するデータから不要なデータを削減し、かつ、データを分析する装置の側の負荷を低減することが可能となる。
【図面の簡単な説明】
【００１４】
【図１】本発明の一実施形態の構成を示す図である。
【図２】本発明の一実施形態の動作を説明するための図である。
【図３】本発明の第１の実施形態のデータ分析システムの構成を示す図である。
【図４】本発明の第１の実施形態のデータ分析システムの動作を表したシーケンス図である。
【図５】本発明の第２の実施形態のデータ分析システムの構成を示す図である。
【図６】本発明の第２の実施形態のデータ分析システムの動作を表したシーケンス図である。
【発明を実施するための形態】
【００１５】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。また、以降の説明で参照する図面等のブロック間の接続線は、双方向及び単方向の双方を含む。一方向矢印については、主たる信号（データ）の流れを模式的に示すものであり、双方向性を排除するものではない。
【００１６】
本発明は、その一実施形態において、図１に示すように、ストレージ装置１００Ａと、データ取得装置２００Ａと、データ分析装置３００Ａと、を含む構成にて実現できる。
【００１７】
より具体的には、図２に示すように、データ取得装置２００Ａは、外部からデータを取得し、ストレージ装置１００Ａに送信する。ストレージ装置１００Ａは、受信したデータについて、所定の重複排除処理を行って、非重複データを記録する重複排除手段を備え、非重複データを記録した場合、前記データ分析装置３００Ａに対し、前記非重複データが記録されたことを通知する。そして、データ分析装置３００Ａは、前記通知に基づいて、前記ストレージ装置１００Ａに記録されたデータを読み出して所定の分析処理を実施する。
【００１８】
以上のとおり、本発明によれば、データ分析装置３００Ａの負荷を軽減することが可能となる。その理由は、データ分析装置３００Ａにおいて、分析に先だって、有意な変化が生じているか等の判定を不要とするように構成したことにある。
【００１９】
もちろん、前記非重複データが記録されたことの通知の送信頻度によっては、データ分析装置３００Ａの負荷が上がってしまうので、分析動作を行う条件として、その他の条件を付加してもよい。例えば、前回の分析処理から所定時間が経過していることや、ストレージ装置１００Ａからの通知を所定数受け取った場合に、分析動作を開始するようにすること等が考えられる。
【００２０】
［第１の実施形態］
続いて、本発明の第１の実施形態について図面を参照して詳細に説明する。図３は、本発明の第１の実施形態のデータ分析システムの構成を示す図である。図３を参照すると、データ収集サーバー５と、ストレージ装置６と、データ分析サーバー７とが接続された構成が示されている。
【００２１】
データ収集サーバー５は、多数のセンサー１と接続されており、センサー１で採取したデータを収集する。本実施形態においては、データ収集サーバー５が上述のデータ取得装置に相当する。このようなデータ収集サーバー５として、センサーにて測定されたデータを時系列にまとめて送信する機能等を持ったＩｏＴゲートウェイ（Ｉｎｔｅｒｎｅｔ  ｏｆ  Ｔｈｉｎｇｓ  Ｇａｔｅｗａｙ）と呼ばれている機器を用いることもできる。
【００２２】
ストレージ装置６は、データ入出力部６１と、データ重複排除処理部６２と、データ記録部６３と、データ生成部６４とを含む。このようなストレージ装置６は、非特許文献３に記載されている重複排除機能を備えた重複排除型ストレージ装置をベースに構成することができる。より具体的には、この種の重複排除型ストレージ装置に、非重複判定時のデータ収集サーバー５への通知機能を追加することで実現できる。
【００２３】
データ分析サーバー７は、センサー１で測定されたデータを用いて所定の分析処理を行うデータ分析部７１を備えたサーバーである。本実施形態においては、データ分析サーバー７が上述のデータ分析装置に相当する。
【００２４】
ここで、ストレージ装置６及びデータ分析サーバーの詳細構成について説明する。データ入出力部６１は、データ収集サーバー５から受信したデータをデータ重複排除処理部６２に送る。また、データ入出力部６１は、データ分析サーバー７から要求されたデータを、データ生成部６４に要求し、データ生成部６４にて作成されたデータをデータ分析サーバー７に送信する。
【００２５】
データ重複排除処理部６２は、データ収集サーバー５から受信したデータを細かい単位（ブロック）に分割して、重複排除処理を行う機能と、非重複データがデータ記録部６３に記録された際に、データ分析部７１に対し、その旨を通知する機能を有する。
【００２６】
データ記録部６３には、データが記録されると、データ重複排除処理部６２の判定結果に基づいて、そのデータを生成するために必要なブロック構成情報と、実データのブロックが記録される。なお、データ記録部６３へのデータ記録方法としては、特許文献３等に記載されている種々の方法を用いることができる。
【００２７】
データ生成部６４は、データ分析サーバー７から指定されたデータを生成するために、データ記録部６３からブロック構成情報とデータのブロックを読み込んで、前記指定されたデータを生成する。
【００２８】
データ分析部７１は、重複データがデータ記録部６３に記録された旨の通知を受信したタイミングで、ストレージ装置６からデータを読み込み、分析を行う。
【００２９】
なお、図３に示したストレージ装置６及びデータ分析サーバー７の各部（処理手段）は、これらの装置を構成するコンピュータに、そのハードウェアを用いて、上記した各処理を実行させるコンピュータプログラムにより実現することもできる。
【００３０】
続いて、本実施形態の動作について図面を参照して詳細に説明する。図４は、本発明の第１の実施形態のデータ分析システムの動作を表したシーケンス図である。図４を参照すると、まず、データ収集サーバー５がセンサー１等からデータを収集し、ストレージ装置に送信する（ステップＳ１０１）。なお、データ収集サーバー５がセンサー１等からデータを収集する形態は、プッシュ型、プル型いずれの形態であってもよい。また、データ収集サーバー５が、センサー１等からデータを一定期間蓄積してから、ストレージ装置６に求めて送信することとしてもよい。このようにすることで、大量のデータが送信されることによるネットワーク側の負荷やオーバーヘッドを低減することができる。
【００３１】
ストレージ装置６のデータ入出力部６１は、データ収集サーバー５から受信したデータを、データ重複排除処理部６２に送る。データ重複排除処理部６２は、重複排除処理を実施し、データ記録部６３にブロック構成情報とともに必要なデータを書き込む（ステップＳ１０２）。
【００３２】
その際に、書き込まれるデータが重複データである場合、データ重複排除処理部６２はデータ分析サーバー７への通知を行わずに処理を終了する（ステップＳ１０３の「重複データ」）。一方、非重複データである場合（ステップＳ１０３の「非重複データ」）、データ重複排除処理部６２は、データ分析サーバー７に対し、非重複データが登録されたことを通知する（ステップＳ１０４）。
【００３３】
前記通知を受けたデータ分析サーバー７のデータ分析部７１は、予め定められた設定に従って、ストレージ装置６からデータを読み出し（ステップＳ１０５）、データを分析する（ステップＳ１０６）。
【００３４】
以上説明したように、本実施形態によれば、データ分析サーバー７は、ストレージ装置６に重複していないデータが書き込まれた時にのみ分析を行うことになる。このため、データ分析サーバー７の負荷を軽減することが可能となる。とりわけ、膨大な数のセンサーから大量なデータを分析するセンサーネットワーク等の用途において、顕著な効果が奏されることになる。
【００３５】
［第２の実施形態］
続いて、上記第１の実施形態のストレージ装置に変更を加え、データ分析サーバー７への通知のタイミングを追加した第２の実施形態について図面を参照して詳細に説明する。図５は、本発明の第２の実施形態のデータ分析システムの構成を示す図である。図５を参照すると、データ収集サーバー５と、ストレージ装置６ａと、データ分析サーバー７とが接続された構成が示されている。
【００３６】
第１の実施形態では、ストレージ装置６は、非重複データの登録時に、データ分析サーバー７への通知を行う。このため、例えば、ブロック「００００」及び「１１１１」が登録済みである場合、「００００｜１１１１｜１１１１」という３つのブロックに分割可能なデータを受信した場合（記号「｜」はデータの分割箇所を示す）、重複データと判定され、データ分析サーバー７への通知は行われない。しかしながら、「００００｜１１１１｜１１１１」というパターンが分析すべき事象である場合もある。第２の実施形態では、個々のブロックが既知であっても、データ全体のパターン（ブロック構成情報）が新規である場合には、データ分析サーバー７への通知を行うようにしている。
【００３７】
図５に示した構成中、第１の実施形態のデータ分析システムの構成と異なる点は、ストレージ装置６ａにデータ管理部６５が追加され、データ重複排除処理部６２ａの動作に変更が加えられている点である。その他の構成は第１の実施形態と同様であるため説明を省略する。
【００３８】
本実施形態のデータ重複排除処理部６２ａは、第１の実施形態と同様の動作に加え、重複データをデータ記録部６３に登録する際に、データ管理部６５にデータのブロック構成情報を送信する。
【００３９】
データ管理部６５は、１つ前に記録したデータのブロック構成情報を保持し、受信した重複データのブロック構成情報と比較する。前記比較の結果、ブロック構成情報が一致していない場合、データ管理部６５は、データ重複排除処理部６２ａに対し、データ分析サーバー７への通知を要求する。例えば、「００００｜１１１１｜１１１１」という重複データを受信した後に、「１１１１｜００００｜１１１１」という重複データを受信した場合、データ管理部６５は、データ重複排除処理部６２ａに対し、データ分析サーバー７への通知を要求する。これにより、重複データであっても、ブロック構成情報が一致していないデータの受信を契機とした分析を行わせることが可能となる。
【００４０】
続いて、本実施形態の動作について図面を参照して詳細に説明する。図６は、本発明の第２の実施形態のデータ分析システムの動作を表したシーケンス図である。図６のステップＳ１０１、ステップＳ１０３、及びステップＳ１０４以降の動作は第１の実施形態と同様であるため説明を省略する。
【００４１】
図６を参照すると、ステップＳ１０２ａにおいて、データ重複排除処理部６２ａは、データ重複排除処理の後、データ管理部６５に対し、データ記録部６３に書き込まれるデータのブロック構成情報を送信する（ステップＳ１０２ａ）。
【００４２】
ステップＳ１０３の重複判定の結果、重複データと判定された場合（ステップＳ１０３の「重複データ」）、データ管理部６５は、ステップＳ１０２ａにて受信したブロック構成情報と、保持している一つ前のブロック構成情報とを比較する（ステップＳ１１３）。前記比較の結果、書き込まれるデータのブロック構成情報と１つ前のデータのブロック構成情報とが一致した場合、データ管理部６５はデータ重複排除処理部６２ａに対し、データ分析サーバー７への通知を要求しない。結果として、データ重複排除処理部６２ａはデータ分析サーバー７への通知を行わずに処理を終了する（ステップＳ１１３の「ブロック構成同一」）。
【００４３】
一方、書き込まれるデータのブロック構成情報と１つ前のデータのブロック構成情報とが一致しない場合（ステップＳ１１３の「ブロック構成不一致」）、データ管理部６５は、データ重複排除処理部６２ａに対し、データ分析サーバー７への通知を要求する。結果として、データ重複排除処理部６２ａはデータ分析サーバー７にデータ分析を行わせるために、データ分析サーバー７に対し、非重複データが登録されたことを通知する（ステップＳ１０４）。以降の動作は第１の実施形態と同様（図４参照）であるため、説明を省略する。
【００４４】
以上説明したように、本実施形態によれば、非重複データの登録時に加えて、重複データであってもブロック構成情報が一つ前に記録したデータのブロック構成情報と異なる場合にデータ分析サーバー７に通知を送信することが可能となる。このため、重複データであっても、ブロック構成情報が異なり、異なる意味合いを用いるデータの登録を契機としたデータの分析を行わせることが可能となる。
【００４５】
なお、上記した実施形態では、データ管理部６５は、１つ前に記録したデータのブロック構成情報と、受信した重複データのブロック構成情報とを比較するものとして説明したが、データ管理部６５に、過去数回分の受信データのブロック構成情報を保持させて、受信データのブロックとの比較を行わせることも可能である。
【００４６】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００４７】
最後に、本発明の好ましい形態を要約する。
［第１の形態］
（上記第１の視点によるデータ分析システム参照）
［第２の形態］
上記した情報システムの重複排除手段は、受信したデータを複数のブロックに分割し、ブロック単位で重複データであるか否かを判定することが好ましい。
［第３の形態］
上記した情報システムの重複排除手段は、ブロック単位で判定した結果、受信データが重複データであると判定した場合であっても、受信したデータ全体のブロック構成に変化が生じている場合、前記データ分析装置に前記通知を送信する構成を採ることができる。
［第４の形態］
上記した情報システムのデータ取得装置として、センサーにて測定されたデータを時系列にまとめて送信するデータ収集サーバーを用いることができる。
［第５の形態］
受信したデータをストレージ装置に送信するデータ取得装置と、
前記ストレージ装置に蓄積されたデータを分析するデータ分析装置と、に接続され、
受信したデータのうち、所定の重複排除処理を行って、非重複データを記録する重複排除手段と、
前記非重複データを記録した場合、前記データ分析装置に対し、前記非重複データが記録されたことを通知する通知手段と、
を備えた記録装置。
［第６の形態］
受信したデータについて、所定の重複排除処理を行って、非重複データを記録する重複排除手段と、前記非重複データを記録した場合、前記データ分析装置に対し、前記非重複データが記録されたことを通知する通知手段と、を備えるストレージ装置と、
外部からデータを取得し、前記ストレージ装置に送信するデータ取得装置と、に接続され、
前記ストレージ装置から、前記非重複データが記録されたことの通知を契機として、前記ストレージ装置からデータを読み出して所定の分析を実施するデータ分析装置。
［第７の形態］
外部からデータを取得し、前記ストレージ装置に送信するデータ取得装置と、
前記ストレージ装置に蓄積されたデータを分析するデータ分析装置と、に接続された記録装置が、
前記データ取得装置から受信したデータについて、所定の重複排除処理を行って、非重複データを記録するステップと、
前記非重複データを記録した場合、前記データ分析装置に対し、前記非重複データが記録されたことを通知するステップと、
を含むデータ管理方法。
［第８の形態］
受信したデータについて、所定の重複排除処理を行って、非重複データを記録する重複排除手段と、前記非重複データを記録した場合、前記データ分析装置に対し、前記非重複データが記録されたことを通知する通知手段と、を備えるストレージ装置と、
外部からデータを取得し、前記ストレージ装置に送信するデータ取得装置と、に接続されたデータ分析装置が、
前記ストレージ装置から、前記非重複データが記録されたことの通知を受信するステップと、前記通知を契機として、前記ストレージ装置からデータを読み出して所定の分析を実施するステップと、を含むデータ分析方法。
［第９の形態］
受信したデータをストレージ装置に送信するデータ取得装置と、前記ストレージ装置に蓄積されたデータを分析するデータ分析装置と、に接続された記録装置に搭載されたコンピュータに、
受信したデータのうち、所定の重複排除処理を行って、非重複データを記録する処理と、
前記非重複データを記録した場合、前記データ分析装置に対し、前記非重複データが記録されたことを通知する処理と、
を実行させるプログラム。
［第１０の形態］
受信したデータのうち、所定の重複排除処理を行って、非重複データを記録する重複排除手段と、前記非重複データを記録した場合、前記データ分析装置に対し、前記非重複データが記録されたことを通知する通知手段と、を備えるストレージ装置と、外部からデータを取得し、前記ストレージ装置に送信するデータ取得装置と、に接続されたデータ分析装置に搭載されたコンピュータに、
前記ストレージ装置から、前記非重複データが記録されたことの通知を受信する処理と、
前記通知を契機として、前記ストレージ装置からデータを読み出して所定の分析を実施する処理と、
を実行させるプログラム。
なお、上記第５〜第１０の形態は、第１の形態と同様に、第２〜第４の形態に展開することが可能である。
【００４８】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００４９】
１  センサー
５  データ収集サーバー
６、６ａ  ストレージ装置
７  データ分析サーバー
６１  データ入出力部
６２、６２ａ  データ重複排除処理部
６３  データ記録部
６４  データ生成部
６５  データ管理部
７１  データ分析部
１００Ａ  ストレージ装置
２００Ａ  データ取得装置
３００Ａ  データ分析装置
【図１】
2018128967.tif 000003
【図２】
2018128967.tif 000004
【図３】
2018128967.tif 000005
【図４】
2018128967.tif 000006
【図５】
2018128967.tif 000007
【図６】
2018128967.tif 000008